(57)【特許請求の範囲】
【請求項１】
一端に収納時給電金具接続部が設けられ、アンテナ収納状態において互いに異なる第１及び第２の２つの周波数帯に対してそれぞれλ／４の実効長アンテナとして動作する第１及び第２のヘリカルアンテナと、一端に伸張時給電金具接続部が設けられ、アンテナ伸張状態において動作し、かつ前記第１の周波数帯に対してλ／４の実効長アンテナとなるストレートアンテナとを有する収納伸張可能なホイップアンテナと、
前記ホイップアンテナの伸張状態を検知するアンテナ伸張検知部と、
前記第１及び第２の周波数帯の何れが使用されているかを示す信号を出力する周波数選択信号出力部と、
前記ストレートアンテナが前記第２の周波数帯で動作しているときに前記ストレートアンテナと送受信部間のインピーダンス整合をとるための第１の整合回路と、
前記アンテナ伸張検知部から前記ホイップアンテナが伸張状態であることを示す信号が出力され、かつ前記周波数選択信号出力部から前記第２の周波数帯が使用されていることを示す信号が出力されているときのみ、前記第１の整合回路を前記ストレートアンテナと前記送受信部間に接続する切換スイッチと、
を備えていることを特徴とする前記２つの周波数帯で使用可能に構成された携帯無線機。
【請求項２】
一端に収納時給電金具接続部が設けられ、アンテナ収納状態において互いに異なる第１及び第２の２つの周波数帯の一方に対してλ／４の実効長アンテナとして動作する第１のヘリカルアンテナと、前記第１のヘリカルアンテナと交流的に結合され、アンテナ収納状態において前記２つの周波数帯の他方に対して両端開放のλ／２の実効長アンテナとして動作する第２のヘリカルアンテナと、一端に伸張時給電金具接続部が設けられ、アンテナ伸張状態において動作し、かつ前記第１の周波数帯に対してλ／４の実効長アンテナとしてなるストレートアンテナとを有する収納伸張可能なホイップアンテナと、
前記ホイップアンテナの伸張状態を検知するアンテナ伸張検知部と、
前記第１及び第２の周波数帯の何れが使用されているかを示す信号を出力する周波数選択信号出力部と、
前記ストレートアンテナが前記第２の周波数帯で動作しているときに前記ストレートアンテナと送受信部間のインピーダンス整合をとるための第１の整合回路と、
前記アンテナ伸張検知部から前記ホイップアンテナが伸張状態であることを示す信号が出力され、かつ前記周波数選択信号出力部から前記第２の周波数帯が使用されていることを示す信号が出力されているときのみ、前記第１の整合回路を前記ストレートアンテナと前記送受信部間に接続する切換スイッチと、
を備えていることを特徴とする前記２つの周波数帯で使用可能に構成された携帯無線機。
【請求項３】
前記アンテナ伸張検知部から前記ホイップアンテナが収納状態であることを示す信号が出力されているとき、または前記アンテナ伸張検知部から前記ホイップアンテナが伸張状態であることを示す信号が出力され、かつ前記周波数選択信号出力部から前記第１の周波数帯が使用されていることを示す信号が出力されているときに、前記切換スイッチにより、前記ヘリカルアンテナまたは前記ストレートアンテナと前記送受信部間に接続される第２の整合回路を備えていることを特徴とする請求項１または２記載の携帯無線機。
【請求項４】
前記切換スイッチによる前記整合回路の接続切換えは、前記アンテナ伸張検知部の出力と前記周波数選択信号出力部の出力を入力してその論理積演算を行うＡＮＤゲートの出力により制御されることを特徴とする請求項１〜３のいずれかに記載の携帯無線機。
【請求項５】
前記切換スイッチは、ＰＩＮダイオードのオンオフにより前記整合回路の切換えを行う構成となっていることを特徴とする請求項４記載の携帯無線機。
【請求項６】
前記携帯無線機は、ヒンジ部により上部筐体と下部筐体が折り畳み可能に構成されており、前記ホイップアンテナは、前記下部筐体に設けられていることを特徴とする請求項１〜５のいずれかに記載の携帯無線機。
【請求項７】
前記携帯無線機は、ヒンジ部により上部筐体と下部筐体が折り畳み可能に構成されており、前記ホイップアンテナは、前記上部筐体に設けられていることを特徴とする請求項１〜５のいずれかに記載の携帯無線機。
【請求項８】
前記携帯無線機は、単一の筐体により構成されており、前記ホイップアンテナは、収納状態において前記ヘリカルアンテナが前記筐体の上部に位置するように配置されていることを特徴とする請求項１〜５のいずれかに記載の携帯無線機。
【発明の詳細な説明】
【０００１】
【発明の属する技術分野】
本発明は、携帯無線機に関し、特に２つの周波数帯に対応可能に構成された携帯無線機に関する。
【０００２】
【従来の技術】
一般的に、携帯無線機のアンテナ部は伸張収納可能な構造となっており、携帯無線機を使用していないときあるいは待機状態のときには、コンパクトにして持ち運びに便利にするためにアンテナ部を機器内に収納しておき、発呼あるいは着信を受けて通話を行っているときには、アンテナ感度特性を良くして良好な通話品質を保つためにアンテナ部を機器外へ伸張させて使用する。
【０００３】
図１４は、このようなアンテナ部の伸張収納可能な携帯無線機に用いられている従来のアンテナ部の構成を示しており、先端のヘリカルアンテナカバー２６の中に配置されたヘリカルアンテナ２０と、その下の棒状のストレートアンテナカバー２７部分に配置されたストレートアンテナ２２とからなり、ホイップアンテナとして構成されている。
【０００４】
そして、アンテナ部が収納されているときには収納時給電金具接続部２３が携帯無線機の送受信部と接続されることによりヘリカルアンテナ２０が動作し、アンテナ部が伸張されたときには伸張時給電金具接続部２４が携帯無線機の送受信部と接続されることによりストレートアンテナ２２が動作する構造となっている。
【０００５】
一方、携帯無線機加入者数の増加に伴い、８００ＭＨｚ帯とともに１．５ＧＨｚ帯の２つの周波数帯で使用することが可能な携帯無線機（デュアルバンド機）が求められており、このようなシステムに対応するため、アンテナもこの２つの周波数帯で動作可能な構成とすることが求められている。
【０００６】
従来、例えば１．５ＧＨｚ帯のＰＤＣ電話と１．９ＧＨｚ帯のＰＨＳ電話に対して、この２つの周波数帯で共用可能な構成を備えたアンテナの例が、特開平１０−２２７３０号公報に記載されている。
【０００７】
図１５は、上記公報に記載されているアンテナの構成を示しており、ＰＤＣ用アンテナとして動作する第１のヘリカルアンテナエレメント２０の基端と、ＰＨＳ用アンテナとして動作する第２のヘリカルアンテナエレメント２１の基端とが直接接続され、共通の給電点を有することにより、周波数帯域の異なる２つの信号を送受信できるアンテナ構成としている。２つのヘリカルアンテナへの給電は、給電金具より収納時給電金具接続部２３を介しておこなわれる。サポート金具２５はアンテナ部を筐体に固定するために用いられる。
【０００８】
第１のヘリカルアンテナエレメント２０は、巻径が小さいので、適宜にピッチを定めて高い共振周波数ｆＨに設定され、第２のヘリカルアンテナエレメント２１は、巻径が大きく適宜にピッチを定めることで、低い共振周波数ｆＬに設定されている。そして、第１と第２のヘリカルアンテナエレメント２０と２１の実効長を、それぞれ共振周波数ｆＨ、ｆＬに対してλ／４に設定することにより、その出力インピーダンスがそれぞれ５０Ωとなり、無線通信機の入力インピーダンスを５０Ωとすることにより、２つの周波数帯に対して整合回路を介することなくアンテナ出力信号を無線通信機に入力することを可能にしている。
【０００９】
図１６は、ヘリカルアンテナを２周波帯で共用可能とする他の構成例を示しており、内側の第１のヘリカルアンテナ２０へは、給電金具より収納時給電金具接続部２３を介して直接給電して動作させ、一方、外側の第２のヘリカルアンテナ２１は両端開放とし、この外側の第２のヘリカルアンテナ２１へは、給電金具から直接給電せずに、内側の第１のヘリカルアンテナ２０と交流的に結合することで動作させることにより２周波帯共用アンテナとして構成される。サポート金具２５はアンテナ部を筐体に固定するために用いられる。
【００１０】
この構成例では、第１のヘリカルアンテナ２０の実効長を共振周波数ｆＬのλ／４に設定した場合、両端開放の第２のヘリカルアンテナ２１の実効長は共振周波数ｆＨのλ／２に設定される。それにより各ヘリカルアンテナの出力インピーダンスは各動作周波数帯でほぼ等しくなり、所望の２つの周波数で効率的に動作させることができる。
【００１１】
【発明が解決しようとする課題】
上記２周波帯で共用可能な構成のアンテナを、例えば８００ＭＨｚ帯と１．５ＧＨｚ帯の２つの周波数帯を共用するデュアルバンド機に適用した場合、アンテナ収納時に動作するヘリカルアンテナ２０と２１については、その巻径およびピッチを調整することにより、８００ＭＨｚ帯と１．５ＧＨｚ帯の２つの周波数帯に対してその実効長をλ／４に設定することにより、上記２つの周波数帯でのインピーダンスを比較的近い値とすることができるので、２つの周波数帯に対して特に整合回路を介さなくてもアンテナ出力信号を無線通信機に入力することが可能となる。
【００１２】
一方、アンテナ伸張時に動作するストレートアンテナ２２では、このような２つの周波数帯で動作させることは困難である。例えば、ストレートアンテナ２２を８００ＭＨｚ帯と１．５ＧＨｚ帯で共用しようとすると、ストレートアンテナ長を８００ＭＨｚ帯でλ／４に設定してアンテナを動作させた場合には、１．５ＧＨｚ帯では約λ／２長のアンテナとなり、逆に、ストレートアンテナ長を１．５ＧＨｚ帯においてλ／４の長さに設定すると、８００ＭＨｚ帯では約λ／８長のアンテナとなってしまう。
【００１３】
従って、アンテナ伸張時に動作するストレートアンテナ２２では、一方の帯域でλ／４の長さに設定すると、他方の帯域ではそのインピーダンスの値が大きく異なってくる。そこで、ストレートアンテナ２２のエレメント長を適当な長さに調整することにより、２つの帯域でインピーダンスがより近い値になる長さに設定することが考えられるが、ストレートアンテナのエレメント長を調整すると、ヘリカルアンテナとのインピーダンスの差が発生し、最適な整合がとれなくなるという問題が生ずる。
【００１４】
上記公開公報では、アンテナの収納時及び伸張時の何れにおいても２周波帯で共用可能とするために、第１のヘリカルアンテナエレメント２０をＰＤＣ信号の１．５ＧＨｚに対してλ／４の実効長に設定するとともに第２のヘリカルアンテナエレメント２１をＰＨＳ信号の１．９ＧＨｚに対してλ・３／８の実効長に設定し、一方、ストレートアンテナ２２は、ＰＤＣ信号の１．５ＧＨｚに対してλ／４の実効長とし、ＰＨＳ信号の１．９ＧＨｚに対しては略λ・３／８の実効長となるようにしている。
【００１５】
そして、１．５ＧＨｚ帯のＰＤＣ信号によるアンテナ出力信号はそのままＰＤＣ電話機に入力し、一方、１．９ＧＨｚ帯のＰＨＳ信号によるアンテナ出力信号は適宜な整合回路を介してＰＨＳ電話機に入力することによって、ＰＤＣとＰＨＳに対してアンテナ引き出し時及び収納時に整合をとる構成が開示されている。
【００１６】
しかしながら、上記公開公報で提案されている引き出し時及び収納時２周波対応アンテナ構成の場合、ＰＤＣ信号の１．５ＧＨｚに対してλ／４の実効長に設定された第１のヘリカルアンテナエレメント２０は、実質的にＰＨＳ信号の１．９ＧＨｚに対してλ・３／８の実効長のアンテナとしても動作し、また、ＰＨＳ信号の１．９ＧＨｚに対してλ・３／８の実効長に設定された第２のヘリカルアンテナエレメント２１は、実質的にＰＤＣ信号の１．５ＧＨｚに対してλ／４の実効長のアンテナとしても動作してしまうために、アンテナ収納時には、実質的に並列に接続された２つのヘリカルアンテナ２０と２１が動作している状態となる。そのため収納時のヘリカルアンテナの出力インピーダンスは略１／２となってしまい、アンテナ伸張時の各出力インピーダンスとは異なった値となり、新たな不整合が生ずるという問題がある。
【００１７】
本発明の目的は、上記問題点に鑑み、アンテナが伸張しているとき及び収納しているときの何れの場合にも、２つの周波数帯で良好に整合がとれる携帯無線機を提供することにある。
【００１８】
本発明の他の目的は、アンテナが伸張状態であるか収納状態であるかを検知するための手段を提供することにある。
【００１９】
本発明の他の目的は、アンテナの収納、伸張情報と、周波数帯の選択情報の組合せに応じて、最小限の整合回路により、全ての状態で良好な通話品質を確保する手段を提供することにある。
【００２０】
【課題を解決するための手段】
本発明は、一端に収納時給電金具接続部が設けられ、アンテナ収納状態において互いに異なる第１及び第２の２つの周波数帯に対してそれぞれλ／４の実効長アンテナとして動作する第１及び第２のヘリカルアンテナと、一端に伸張時給電金具接続部が設けられ、アンテナ伸張状態において動作し、かつ前記第１の周波数帯に対してλ／４の実効長アンテナとなるストレートアンテナとを有する収納伸張可能なホイップアンテナと、前記ホイップアンテナの伸張状態を検知するアンテナ伸張検知部と、前記第１及び第２の周波数帯の何れが使用されているかを示す信号を出力する周波数選択信号出力部と、前記ストレートアンテナが前記第２の周波数帯で動作しているときに前記ストレートアンテナと送受信部間のインピーダンス整合をとるための第１の整合回路と、前記アンテナ伸張検知部から前記ホイップアンテナが伸張状態であることを示す信号が出力され、かつ前記周波数選択信号出力部から前記第２の周波数帯が使用されていることを示す信号が出力されているとき、前記第１の整合回路を前記ストレートアンテナと送受信部間に接続する切換スイッチとを備えることにより、前記２つの周波数帯で使用可能に構成した携帯無線機をその特徴とする。
【００２１】
また、本発明は、一端に収納時給電金具接続部が設けられ、アンテナ収納状態において互いに異なる第１及び第２の２つの周波数帯の一方に対してλ／４の実効長アンテナとして動作する第１のヘリカルアンテナと、前記第１のヘリカルアンテナと交流的に結合され、アンテナ収納状態において前記２つの周波数帯の他方に対して両端開放のλ／２の実効長アンテナとして動作する第２のヘリカルアンテナと、一端に伸張時給電金具接続部が設けられ、アンテナ伸張状態において動作し、かつ前記第１の周波数帯に対してλ／４の実効長アンテナとなるストレートアンテナとを有する収納伸張可能なホイップアンテナと、前記ホイップアンテナの伸張状態を検知するアンテナ伸張検知部と、前記第１及び第２の周波数帯の何れが使用されているかを示す信号を出力する周波数選択信号出力部と、前記ストレートアンテナが前記第２の周波数帯で動作しているときに前記ストレートアンテナと送受信部間のインピーダンス整合をとるための第１の整合回路と、前記アンテナ伸張検知部から前記ホイップアンテナが伸張状態であることを示す信号が出力され、かつ前記周波数選択信号出力部から前記第２の周波数帯が使用されていることを示す信号が出力されているとき、前記第１の整合回路を前記ストレートアンテナと送受信部間に接続する切換スイッチとを備えることにより、前記２つの周波数帯で使用可能に構成した携帯無線機をその特徴とする。
【００２２】
また、本発明は、前記構成に加えて、前記アンテナ伸張検知部から前記ホイップアンテナが収納状態であることを示す信号が出力されているとき、または前記アンテナ伸張検知部から前記ホイップアンテナが伸張状態であることを示す信号が出力され、かつ前記周波数選択信号出力部から前記第１の周波数帯が使用されていることを示す信号が出力されているときに、前記切換スイッチにより、前記ヘリカルアンテナまたは前記ストレートアンテナと送受信部間に接続される第２の整合回路を備えていることを特徴とする。
【００２３】
なお、この第２の整合回路は、第１，第２の周波数帯に対する各λ／４ヘリカルアンテナおよび第１の周波数帯に対するλ／４ストレートアンテナのそれぞれの出力インピーダンスと携帯無線機の送受信部の入出力インピーダンスが予め整合状態に設定されている場合には省略することができる。
【００２４】
また、本発明のアンテナ伸張検知部は、前記ホイップアンテナが収納状態のとき前記ストレートアンテナの一端に設けられた伸張時給電金具接続部が位置する場所に設けられ、前記伸張時給電金具接続部による物理的な作用を受けてアンテナの収納状態または伸張状態を示す信号を出力する手段により構成されていることを特徴とする。
【００２５】
【発明の実施の形態】
図１は、本発明の第１の実施形態による折り畳み形携帯無線機の全体構成を示す斜視図であり、図２〜図３は、本実施形態におけるアンテナ部の伸張・収納を検知する構成を示す図、図４〜図５は、インピーダンス整合回路切換え制御部の一例を示す回路およびその入出力信号の関係を示す図、図６〜図７は、インピーダンス整合回路の切換え回路の例を示す図である。
【００２６】
本実施の形態による折り畳み形携帯無線機は、ヒンジ部７により折り畳み可能に構成された上部筐体１と下部筐体４とからなる。上部筐体４には、上部筐体回路部３、レシーバ９、表示部１０等が配置された上部筐体回路基板２が収納されている。下部筐体４には、下部筐体回路部６、電池１３、キー操作部１４等が配置された下部筐体回路基板５が収納されている。
【００２７】
下部筐体回路基板５にはさらに、伸張・収納することが可能なアンテナ部１１と、給電金具１２と、アンテナ伸張検知部１５と、制御信号により整合回路を切換えることが可能なインピーダンス整合回路１８と、整合回路制御部１９が配置されている。
【００２８】
アンテナ部１１は、前記図１５または図１６に示すアンテナ構成と同様であり、先端部に配置されて収納時に動作する２重構造の２周波対応ヘリカルアンテナ２０，２１と、その下部に配置されて伸張時に動作するストレートアンテナ２２とからなり、ホイップアンテナとして構成されている。そして、このホイップアンテナが下部筐体４内に収納されているときには、収納時給電金具接続部２３が給電金具１２と接続され、伸張状態のときには、収納時給電金具接続部２４が給電金具１２と接続される。
【００２９】
アンテナ伸張検知部１５は、図２〜図３に示すように、アンテナ部１１が筐体内に収納されたときに伸張時給電金具接続部２４が到達する位置に配置された下部筐体回路基板５上のアンテナ伸張金具１６とアンテナ伸張検知端子１７によって構成され、アンテナ部１１の伸張・収納を検知する部分となっている。
【００３０】
アンテナ部１１が収納されているときには、アンテナ伸張検知金具１６がアンテナ部１１の末端に設けられた伸張時給電金具接続部２４によって押しつけられてアンテナ伸張検知端子１７と接触することによりアンテナの収納が検知され（図２（ａ）、図３（ａ））、アンテナ部１１が伸張されている場合には、アンテナ伸張検知金具１６とアンテナ伸張検知端子１７との接触が開放されることによりアンテナの伸張が検知される（図２（ｂ）、図３（ｂ））。
【００３１】
アンテナ伸張検知部１５の検知信号は整合回路制御部１９に出力される。整合回路制御部１９は、図４に示すように、アンテナ伸張検知部１５からのアンテナ状態検知信号（収納状態と伸張状態）と、動作周波数として２つの周波数帯（８００ＭＨｚと１．５ＧＨｚ）の何れが選択されているかを示す周波数選択信号とが入力されるＡＮＤゲートを備えており、両者の論理積情報を出力する。
【００３２】
インピーダンス整合回路１８は、図６（ａ）に示すように、アンテナ収納時またはアンテナ伸張状態であって８００ＭＨｚ帯が選択されている時に用いられる８００ＭＨｚ帯用整合回路と、アンテナ伸張状態であって１．５ＧＨｚ帯が選択されている時に用いられる１．５ＧＨｚ帯伸張用整合回路と、これら２つの整合回路を前記ＡＮＤゲート出力信号により切換える切換スイッチによって構成されている。
【００３３】
切換スイッチは、例えば図６（ｂ）に示すように、ＰＩＮダイオードを用いたスイッチによって構成することができるが、ＦＥＴを用いたスイッチ、あるいは機械式スイッチ等、適宜のスイッチを用いて構成することができる。
【００３４】
図７は、インピーダンス整合回路１８をより具体化した他の実施例を示しており、ＡＮＤゲート出力信号によりＰＩＮダイオードをオン、オフ制御することによって、整合回路の切換えを行っている。
【００３５】
この実施例では、ＰＩＮダイオードがオフのときには、インダクタンスＬ１，Ｌ２，及びキャパシタンスＣ１からなる回路により８００ＭＨｚ帯用整合回路が構成される。Ｌ１，Ｌ２，Ｃ１の値は、８００ＭＨｚ帯においてアンテナと送受信部間の整合がとれるように設定される。
【００３６】
また、ＰＩＮダイオードがオンのときには、キャパシタンスＣ２とインダクタンスＬ３とからなる直列回路が、８００ＭＨｚ帯用整合回路のキャパシタンスＣ１に対して並列に接続されることにより１．５ＧＨｚ帯伸張用整合回路が構成される。Ｌ１，Ｌ２，Ｃ１の値は８００ＭＨｚ帯用整合回路と共通であるが、Ｃ２，Ｌ３の値は、１．５ＧＨｚにおいてアンテナと送受信部間のインピーダンス整合がとれるように設定される。
【００３７】
なお、本実施形態における折り畳み形携帯無線機の主要寸法は、上部筐体１及び下部筐体４のそれぞれの大きさは約８５ｍｍ×５０ｍｍである。ヘリカルアンテナの大きさは、第１のヘリカルアンテナ２０は、約４φｍｍ（径）×約１５ｍｍ（高さ）、第２のヘリカルアンテナ２１は、約５φｍｍ（径）×約２０ｍｍ（高さ）となっている。ヘリカルアンテナのエレメント長及び巻数は、内側が８００ＭＨｚ帯において実効長がλ／４に、外側が１．５ＧＨｚ帯において実効長がλ／２となるような寸法にそれぞれ設定されている。ストレートアンテナ２２の寸法は、約１φｍｍ（径）×約７０ｍｍ（長さ）となっており、低い周波数帯（８００ＭＨｚ）で約λ／４の長さとしている。
【００３８】
次に、本発明の動作について図１〜図７を参照して詳細に説明する。
【００３９】
まず、図２（ａ）及び図３（ａ）に示されているように、アンテナ部１１が下部筐体４に収納された状態のときには、伸張時給電金具接続部２４によりアンテナ伸張検知金具１６が押しつけられ、アンテナ伸張検知金具１６とアンテナ伸張検知端子１７とが接触することにより、アンテナ部１１が収納状態であることを検知する。アンテナ部１１が伸張しているときは、図２（ｂ）及び図３（ｂ）に示されているように、アンテナ伸張検知金具１６とアンテナ伸張検知端子１７が離れ、アンテナ部１１が伸張状態であることを検知する。
【００４０】
図４〜図５に示すように、アンテナ部１１が下部筐体４に収納されているときは、伸張時給電金具接続部２４がアンテナ伸張検知金具１６を押し、アンテナ伸張検知端子１７と接触するので、アンテナ状態検出信号はＬｏｗとなり、この場合には、２つの周波数帯の何れが選択されているかに関係なく、ＡＮＤゲートの出力信号はＬｏｗとなる。また、アンテナ部１１が伸張しているときは、アンテナ伸張検知金具１６とアンテナ伸張検知端子１７が離れているので、アンテナ状態検出信号はＨｉｇｈとなるが、このとき、８００ＭＨｚ帯が選択されていれば周波数選択信号がＬｏｗとなり、ＡＮＤゲートの出力信号はＬｏｗとなる。
【００４１】
一方、アンテナ部１１が伸張している状態でアンテナ状態検出信号がＨｉｇｈのとき、１．５ＧＨｚ帯が選択されていれば、周波数選択信号もＨｉｇｈとなるので、ＡＮＤゲートの出力信号はＨｉｇｈとなり、整合回路制御部１９は、携帯無線機が１．５ＧＨｚ帯を選択して使用しておりかつアンテナが伸張状態であることを示す信号を出力する。
【００４２】
インピーダンス整合回路の切換えは、図６あるいは図７に示すように、ＡＮＤゲートからの出力信号がＨｉｇｈのとき、すなわち、１．５ＧＨｚ帯が選択されかつアンテナが伸張状態のときのみ、インピーダンス整合回路は１．５ＧＨｚ帯伸張用整合回路に切換わる。一方、ＡＮＤゲートの出力信号がＬｏｗのときは、８００ＭＨｚ帯整合回路に切換わる。なお、８００ＭＨｚ帯整合回路は、携帯無線機の送受信機側の入出力インピーダンスがλ／４波長のヘリカルアンテナ及びストレートアンテナのインピーダンスと整合している場合には省略することも可能である。
【００４３】
図８は、８００ＭＨｚ帯の整合回路を用いたときのアンテナ収納時とアンテナ伸張時における実測値をインピーダンス軌跡として示すスミス図であり、図９は、１．５ＧＨｚ帯伸張用整合回路に回路を切換えたときのアンテナ伸張時における実測値をインピーダンス軌跡として示すスミス図である。
【００４４】
各図中のインピーダンス軌跡は７００ＭＨｚから１．７ＧＨｚまでの実測値を示しており、○印で示した範囲が８００ＭＨｚ帯、△印で示した範囲が１．５ＧＨｚ帯を示している。また、スミス図の中心から描いた円はＶＳＷＲ一定の整合円であり、この円の内側の部分がアンテナの整合がとれている範囲である。
【００４５】
アンテナ収納時は、図８（ａ）に示すように、８００ＭＨｚ帯の整合回路で８００ＭＨｚ帯と１．５ＧＨｚ帯の両方の部分が整合円の内側に入っており整合がとれることがわかる。一方、アンテナ伸張時は図８（ｂ）に示すように、８００ＭＨｚ帯の整合回路を用いた場合には、８００ＭＨｚ帯の部分では整合円の内側に入っており整合がとれているが、１．５ＧＨｚ帯では整合がとれていない。
【００４６】
１．５ＧＨｚ帯が選択されかつアンテナが伸張された状態のときに、１．５ＧＨｚ帯伸張用整合回路に切換えると、図９に示すように、１．５ＧＨｚ帯の部分のインピーダンス軌跡が整合円の内側に入っており、整合がとれていることがわかる。
【００４７】
したがって、本実施形態によれば、少なくとも１．５ＧＨｚ帯伸張用整合回路と、１．５ＧＨｚ帯が選択されかつアンテナが伸張状態のときに１．５ＧＨｚ帯伸張用整合回路を切換接続するスイッチ手段を備えることにより、８００ＭＨｚ及び１．５ＧＨｚのそれぞれの周波数帯において、アンテナの収納・伸張の何れの状態においても整合をとることが可能となる。
【００４８】
図１０及び図１１は、本発明が適用される携帯無線機の他の実施例を示している。上記実施例では、アンテナ部１１が折り畳み形携帯無線機の下部筐体４に設けられているものに適用しているが、図１０に示すように、アンテナ部１１を折り畳み形携帯無線機の上部筐体１に設けたもの、あるいは図１１に示すように単一の筐体１からなる携帯無線機など、２周波数帯対応型の適宜の携帯無線機に対して適用可能である。
【００４９】
図１２は、本発明の第２の実施形態を示すアンテナ伸張検知部１５の構成図である。
【００５０】
本実施形態では、アンテナ伸張検知部１５を機械的なスイッチを用いて構成している。この機械的スイッチは、アンテナ部１１が収納状態のときに、アンテナ部１１の伸張時給電金具接続部２４がスイッチ釦２８を押すことでスイッチがオンして収納を検知し（図１２（ｂ））、スイッチがオフのとき伸張を検知する（図１２（ａ））構成となっている。その他の構成要素は、図１に示す第１の実施形態と同様である。
【００５１】
図１３は、本発明の第３の実施形態を示すアンテナ伸張検知部１５の構成図である。
【００５２】
本実施形態では、アンテナ部１１が収納状態のときに、アンテナ部１１の伸張時給電金具接続部２４がアンテナ伸張検知部１５に触れることで、左右の回路がつながりアンテナの収納を検知する構成となっている。そして、伸張時給電金具接続部２４とアンテナ伸張検知部１５が離れることで左右の回路が切り離され、アンテナの伸張を検知する。アンテナ伸張検知部以外は、図１に示す第１の実施の形態と同様の構成となっている。
【００５３】
なお、アンテナ伸張検知部１５の構成は、上記の実施形態に限られるものではなく、アンテナ収納状態のときにアンテナ部１１の伸張時給電金具接続部２４が位置する場所に配置され、伸張時給電金具接続部２４により物理的な作用を受けてアンテナの収納状態または伸張状態を示す信号を出力することができる適宜の手段、例えば、リーフスイッチ、メカニカルスイッチ等の機械式スイッチ、フォトインタラプタ等を用いた光学式スイッチ、磁石とリードスイッチあるいはホールスイッチ等を用いた磁気スイッチ等により構成することができる。
【００５４】
【発明の効果】
本発明は、２周波対応の携帯無線機において、選択周波数とアンテナ伸張検知部の出力の組合せにより整合回路の切換えを行っているので、最小限の整合回路により、２つの周波数帯に対してアンテナの収納時及び伸張時の何れにおいても、良好なインピーダンスの整合を実現することができ、常時最適なアンテナ特性による通信を行うことができる。
【図面の簡単な説明】
【図１】本発明の第１の実施の形態による折り畳み形携帯無線機の構成を示す斜視図である。
【図２】本発明の第１の実施の形態によるアンテナ伸張検知部とアンテナ部との関係を示す側面図である。
【図３】本発明の第１の実施の形態によるアンテナ伸張検知部の構成を示す斜視図である。
【図４】本発明の第１の実施の形態による整合回路制御部を示す図である。
【図５】本発明の第１の実施の形態によるＡＮＤゲートの出力信号を示す図（表）である。
【図６】本発明の第１の実施の形態によるインピーダンス整合回路切換えの仕組みを示すブロック図である。
【図７】本発明の第１の実施の形態によるインピーダンス整合回路切換えの他の例を示す回路図である。
【図８】本発明の第１の実施の形態による８００ＭＨｚ帯の整合回路を用いたスミス図である。
【図９】本発明の第１の実施の形態による１．５ＧＨｚ帯の整合回路を用いたスミス図である。
【図１０】アンテナ部が上部筐体に位置する折り畳み形携帯無線機の構成を示す斜視図である。
【図１１】単一筐体型携帯無線機の構成を示す斜視図である。
【図１２】本発明の第２の実施の形態によるアンテナ伸張検知部の構成を示す図である。
【図１３】本発明の第３の実施の形態によるアンテナ伸張検知部の構成を示す図である。
【図１４】従来の技術による携帯無線機の一般的なアンテナの構成を示す図である。
【図１５】ヘリカルアンテナを２周波帯で共用可能とする従来のアンテナ構成を示す図である。
【図１６】ヘリカルアンテナを２周波帯で共用可能とする従来の他のアンテナ構成を示す図である。
【符号の説明】
１  上部筐体
２  上部筐体回路基板
３  上部筐体回路部
４  下部筐体
５  下部筐体回路基板
６  下部筐体回路部
７  ヒンジ部
８  上下回路部接続部
９  レシーバ
１０  表示部
１１  アンテナ部
１２  給電金具
１３  電池
１４  キー操作部
１５  アンテナ伸張検知部
１６  アンテナ伸張検知金具
１７  アンテナ伸張検知端子
１８  インピーダンス整合回路
１９  整合回路制御部
２０  第１のヘリカルアンテナ
２１  第２のヘリカルアンテナ
２２  ストレートアンテナ
２３  収納時給電金具接続部
２４  伸張時給電金具接続部
２５  サポート金具
２６  ヘリカルアンテナカバー
２７  ストレートアンテナカバー
【図１】
0003667667.tif 000002
【図２】
0003667667.tif 000003
【図３】
0003667667.tif 000004
【図４】
0003667667.tif 000005
【図５】
0003667667.tif 000006
【図６】
0003667667.tif 000007
【図７】
0003667667.tif 000008
【図８】
0003667667.tif 000009
【図９】
0003667667.tif 000010
【図１０】
0003667667.tif 000011
【図１１】
0003667667.tif 000012
【図１２】
0003667667.tif 000013
【図１３】
0003667667.tif 000014
【図１４】
0003667667.tif 000015
【図１５】
0003667667.tif 000016
【図１６】
0003667667.tif 000017